(57)【要約】【課題】紙葉類処理装置を設置する環境またはその状態によらず、配線の作業効率を向上させるようにする。【解決手段】紙葉類処理装置１は、筐体２と、筐体２内に配置された制御基板３１と、第１端部が制御基板３１に接続された少なくとも１つの導電性を有するワイヤ３３と、を備えている。筐体２は、底部３の両端に接続された第１側壁５および第２側壁６を有している。第１側壁５および第２側壁６の少なくとも一方には、筐体２の内部から外部に向かって貫通した少なくとも１つの孔部２０が設けられている。孔部２０は、ワイヤ３３の第２端部を筐体２の内部から外部に出すように構成されている。【選択図】図２
2020052640.tif 000002
【特許請求の範囲】
【請求項１】
紙葉類処理装置の筐体と、
前記筐体内に配置され、前記紙葉類処理装置の動作を制御するための制御基板と、
第１端部が前記制御基板に接続された少なくとも１つの導電性を有するワイヤと、を備え、
前記筐体は、
底部と、
前記底部の両端に接続された第１側壁および第２側壁と、を有し、
前記第１側壁および前記第２側壁の少なくとも一方には、前記筐体の内部から外部に向かって貫通した少なくとも１つの孔部が設けられており、
前記孔部は、前記ワイヤの第２端部を前記筐体の内部から外部に出すように構成されている、紙葉類処理装置。
【請求項２】
請求項１に記載の紙葉類処理装置において、
前記孔部は、
前記第１側壁に設けられた少なくとも１つの第１孔部と、
前記第２側壁に設けられた少なくとも１つの第２孔部と、を含み、
前記ワイヤは、第１端部が前記制御基板に接続された電源線を含み、
前記ワイヤは、第１端部が前記制御基板に接続された通信線を含み、
前記電源線の第２端部は、前記第１孔部および前記第２孔部のいずれかを通って前記筐体の外部に出されており、
前記通信線の第２端部は、前記第１孔部および前記第２孔部のいずれかを通って前記筐体の外部に出されている、紙葉類処理装置。
【請求項３】
請求項２に記載の紙葉類処理装置において、
前記電源線の第２端部は、前記第１孔部および前記第２孔部のいずれかを通って前記筐体の外部に出されており、
前記通信線の第２端部は、前記電源線が通されている前記第１孔部および前記第２孔部のいずれかを通って前記筐体の外部に出されている、紙葉類処理装置。
【請求項４】
請求項２に記載の紙葉類処理装置において、
前記電源線の第２端部は、前記第１孔部および前記第２孔部のいずれかを通って前記筐体の外部に出されており、
前記通信線の第２端部は、前記電源線が通されていない前記第１孔部および前記第２孔部のいずれかを通って前記筐体の外部に出されている、紙葉類処理装置。
【請求項５】
請求項２〜４のいずれか１項に記載の紙葉類処理装置において、
前記第１孔部は、複数設けられており、
前記複数の第１孔部は、前記第１側壁の上下方向において互いに間隔をあけて配置されている、紙葉類処理装置。
【請求項６】
請求項５に記載の紙葉類処理装置において、
前記第２孔部は、複数設けられており、
前記複数の第２孔部は、前記第２側壁の上下方向において互いに間隔をあけて配置されている、紙葉類処理装置。
【請求項７】
請求項１〜６のいずれか１項に記載の紙葉類処理装置において、
前記第１側壁および前記第２側壁の少なくとも一方に設けられた前記孔部のうち、前記ワイヤが通されていない前記孔部を塞ぐためのキャップをさらに備える、紙葉類処理装置。
【請求項８】
請求項１または２に記載の紙葉類処理装置において、
前記底部は、前記筐体内に面する内底面を有し、
前記内底面には、前記第１側壁と前記第２側壁との間に延びるように形成された溝部が設けられており、
前記ワイヤは、前記溝部に収容されるように配置されている、紙葉類処理装置。
【請求項９】
請求項８に記載の紙葉類処理装置において、
前記溝部に収容された前記ワイヤを、上方から覆うカバーをさらに備える、紙葉類処理装置。
【請求項１０】
請求項８または９に記載の紙葉類処理装置において、
前記筐体は、
前記筐体の前面側に設けられた開口部と、
前記開口部を閉鎖または開放するための扉部と、を有し、
前記筐体内に配置されていて、紙葉類を収納するための収納部をさらに備え、
前記収納部は、前記扉部を開いたときに、前記開口部を介して前記筐体の外部に引き出し可能に構成されており、
前記溝部は、前記収納部の引き出し方向において、前記収納部が前記筐体の内部に収納された収納位置と前記扉部との間に配置されている、紙葉類処理装置。
【請求項１１】
請求項１０に記載の紙葉類処理装置において、
前記孔部は、前記収納部の引き出し方向において、前記収納位置に配置された前記収納部と前記扉部との間に位置するように配置されている、紙葉類処理装置。
【請求項１２】
請求項１０または１１に記載の紙葉類処理装置において、
前記第１側壁および前記第２側壁の各々には、前記収納部を前記開口部から前記筐体の外部に引き出すためのガイド部が設けられており、
前記ワイヤは、前記第１側壁および前記第２側壁の各々の内壁面と前記ガイド部の裏側との間に通されている、紙葉類処理装置。
【請求項１３】
請求項１２に記載の紙葉類処理装置において、
前記孔部は、複数設けられかつ前記第１側壁および前記第２側壁の少なくとも一方において上下方向に互いに間隔をあけて配置されており、
前記ガイド部は、前記第１側壁および前記第２側壁の少なくとも一方において前記孔部同士の間に配置されている、紙葉類処理装置。
【請求項１４】
請求項１０〜１３のいずれか１項に記載の紙葉類処理装置において、
前記第１側壁および前記第２側壁は、それぞれ、水平方向であって、かつ前記引き出し方向に直交する方向において互いに対向するように配置されている、紙葉類処理装置。
【発明の詳細な説明】
【技術分野】
【０００１】
本開示は、紙葉類処理装置に関するものである。
【背景技術】
【０００２】
従来、紙幣や有価媒体などの紙葉類を処理するための紙葉類処理装置として、例えば特許文献１のような紙幣処理装置が提案されている。
【０００３】
具体的に、特許文献１には、金庫部を構成する防護筐体と、防護筐体内に設けられ、紙幣を収納するための収納モジュールを有する紙幣収納部と、収納モジュールの駆動を制御する制御プログラムが実装された第２ファームウエアと、を備えた紙幣処理装置が開示されている。
【先行技術文献】
【特許文献】
【０００４】
【特許文献１】特開２０１４−４４６５６号公報
【発明の概要】
【発明が解決しようとする課題】
【０００５】
特許文献１の紙幣処理装置では、例えば、第２ファームウエアと電気的に接続された電源線や通信線などの導電性を有するワイヤを、該ワイヤを外部機器と接続させるために防護筐体の後面側から機外に出すようにした構成（以下「従来構成」という）が想定される。
【０００６】
しかしながら、上記従来構成において、例えば紙幣処理装置を防護筐体の後面と建物における室内の壁面との隙間がほとんどない状態で設置する場合では、ワイヤを防護筐体の後面側から機外に出すことが困難となる。また、例えば紙幣処理装置を机の下に設置する場合では、机の下に作業スペースがほとんどない状態であると、ワイヤを防護筐体の後面側から機外に出しにくくなる。さらに、例えば紙幣処理装置を設置した後のメンテナンス時において、外部機器を増設するために追加のワイヤを別途配線するような場合では、上記従来構成において該ワイヤを防護筐体の後面側から機外に出すという選択肢しか残されていないため、配線作業および外部機器の増設作業が煩雑になるおそれがあった。
【０００７】
このように、上記従来構成では、紙葉類処理装置を設置する環境またはその状態によって配線の作業効率が低下してしまうという問題があった。
【０００８】
本開示は斯かる点に鑑みてなされたものであり、その目的は、紙葉類処理装置を設置する環境またはその状態によらず、配線の作業効率を向上させることにある。
【課題を解決するための手段】
【０００９】
上記の目的を達成するために、第１の開示は、紙葉類処理装置の筐体と、筐体内に配置され、紙葉類処理装置の動作を制御するための制御基板と、第１端部が制御基板に接続された少なくとも１つの導電性を有するワイヤと、を備えている。筐体は、底部と、底部の両端に接続された第１側壁および第２側壁と、を有している。第１側壁および第２側壁の少なくとも一方には、筐体の内部から外部に向かって貫通した少なくとも１つの孔部が設けられている。そして、孔部は、ワイヤの第２端部を筐体の内部から外部に出すように構成されていることを特徴とする。
【００１０】
この第１の開示では、制御基板に接続されたワイヤの第２端部を、第１側壁および第２側壁の少なくとも一方に設けられた孔部を通って筐体の側面から外部に出すことが可能となっている。このため、例えば紙葉類処理装置を筐体の後面と建物における室内の壁面との隙間がほとんどない状態で設置する場合では、ワイヤの第２端部を、孔部を通って筐体の側面から外部に出すことが容易となる。また、例えば紙葉類処理装置を机の下に設置する場合において、机の下に作業スペースがほとんどない状態であっても、ワイヤの第２端部を筐体の側面から外部に出すことにより配線作業が行いやすくなる。さらに、例えば紙葉類処理装置を設置した後のメンテナンス時において、外部機器を増設するために追加のワイヤを別途配線するような場合であっても、第１の開示では、ワイヤの第２端部を機外に出すための選択肢が少なくとも１つ以上存在するため、配線作業および外部機器の増設作業が行いやすくなる。したがって、第１の開示では、紙葉類処理装置を設置する環境またはその状態によらず、配線の作業効率を向上させることができる。
【００１１】
第２の開示は、第１の開示において、孔部は、第１側壁に設けられた少なくとも１つの第１孔部と、第２側壁に設けられた少なくとも１つの第２孔部と、を含む。ワイヤは、第１端部が制御基板に接続された電源線を含む。ワイヤは、第１端部が制御基板に接続された通信線を含む。電源線の第２端部は、第１孔部および第２孔部のいずれかを通って筐体の外部に出されている。通信線の第２端部は、第１孔部および第２孔部のいずれかを通って筐体の外部に出されている。
【００１２】
この第２の開示では、電源線の第２端部および通信線の第２端部の各々を機外に出すための選択肢が複数存在している。したがって、紙葉類処理装置を設置する環境またはその状態によらず、配線の作業効率をより一層向上させることができる。
【００１３】
第３の開示は、第２の開示において、電源線の第２端部は、第１孔部および第２孔部のいずれかを通って筐体の外部に出されている。通信線の第２端部は、電源線が通されている第１孔部および第２孔部のいずれかを通って筐体の外部に出されている。
【００１４】
この第３の開示では、制御基板に接続された電源線および通信線の各々が、一つにまとめられた状態で第１孔部および第２孔部のいずれかを通って筐体の外部に出されている。これにより、電源線および通信線の配線作業を簡素化することができる。
【００１５】
第４の開示は、第２の開示において、電源線の第２端部は、第１孔部および第２孔部のいずれかを通って筐体の外部に出されている。通信線の第２端部は、電源線が通されていない第１孔部および第２孔部のいずれかを通って筐体の外部に出されている。
【００１６】
この第４の開示では、電源線および通信線の各々が分離された状態で第１孔部および第２孔部の各々から筐体の外部に出されている。これにより、電源線および通信線を相互に離した状態で配線することが可能となる。その結果、電源線および通信線が電気的に相互に影響しにくくなり、ノイズによる通信エラーなどの発生を抑制することができる。
【００１７】
第５の開示は、第２〜第４のいずれか１つの開示において、第１孔部は、複数設けられており、複数の第１孔部は、第１側壁の上下方向において互いに間隔をあけて配置されている。
【００１８】
この第５の開示では、制御基板に接続された電源線および通信線の各々を、第１側壁に設けられた複数の第１孔部のいずれかを通って筐体の外部に出すことが可能となる。これにより、電源線および通信線の各々の第２端部を機外に出すための選択肢が更に増える。また、複数の第１孔部は、第１側壁の上下方向において互いに間隔をあけて配置されていることから、電源線の第２端部および通信線の第２端部を、分離した状態で各第１孔部から筐体の外部に出すことが可能となる。これにより、電源線および通信線が電気的に相互に影響しにくくなり、ノイズによる通信エラーなどの発生を抑制することもできる。
【００１９】
第６の開示は、第５の開示において、第２孔部は、複数設けられており、複数の第２孔部は、第２側壁の上下方向において互いに間隔をあけて配置されている。
【００２０】
この第６の開示では、制御基板に接続された電源線および通信線の各々を、第２側壁に設けられた複数の第２孔部のいずれかを通って筐体の外部に出すことが可能となる。これにより、電源線および通信線の各々の第２端部を機外に出すための選択肢が更に増える。また、複数の第２孔部は、第２側壁の上下方向において互いに間隔をあけて配置されていることから、電源線の第２端部および通信線の第２端部を、分離した状態で各第２孔部から筐体の外部に出すことが可能となる。これにより、電源線および通信線が電気的に相互に影響しにくくなり、ノイズによる通信エラーなどの発生を抑制することもできる。
【００２１】
第７の開示は、第１〜第６のいずれか１つの開示において、第１側壁および第２側壁の少なくとも一方に設けられた孔部のうち、ワイヤが通されていない孔部を塞ぐためのキャップをさらに備えている。
【００２２】
この第７の開示では、キャップによりワイヤが通されていない孔部を塞ぐことにより、筐体内を密閉状態に近づけることが可能となる。これにより、筐体内における紙葉類の保存状態を良好に保つことができる。また、キャップによりワイヤが通されていない孔部を塞ぐことにより、紙葉類処理装置における外観の意匠性が損なわないようにすることもできる。
【００２３】
第８の開示は、第１または第２の開示において、底部は、筐体内に面する内底面を有している。内底面には、第１側壁と第２側壁との間に延びるように形成された溝部が設けられている。ワイヤは、溝部に収容されるように配置されている。
【００２４】
この第８の開示では、ワイヤが溝部に収容されるように配置されているため、ワイヤを第１側壁と第２側壁との間において架け渡すように配線する場合であっても、ワイヤを筐体内に綺麗に収めることができる。
【００２５】
第９の開示は、第８の開示において、溝部に収容されたワイヤを、上方から覆うカバーをさらに備えている。
【００２６】
この第９の開示では、カバーにより溝部に収容されたワイヤを保護することができる。
【００２７】
第１０の開示は、第８または第９の開示において、筐体は、筐体の前面側に設けられた開口部と、開口部を閉鎖または開放するための扉部と、を有している。紙葉類処理装置は、筐体内に配置されていて、紙葉類を収納するための収納部をさらに備えている。収納部は、扉部を開いたときに、開口部を通って筐体の外部に引き出し可能に構成されている。溝部は、収納部の引き出し方向において、収納部が筐体の内部に収納された収納位置と扉部との間に配置されている。
【００２８】
この第１０の開示では、ワイヤが、収納部の引き出し方向において、収納部が筐体の内部に収納された収納位置と扉部との間に配置された溝部に収容されるように構成されている。このため、ワイヤを第１側壁と第２側壁との間において架け渡すように配線する場合であっても、収納部を、ワイヤの有無によらず、開口部を通って筐体の外部に引き出すことができる。
【００２９】
第１１の開示は、第１０の開示において、孔部は、収納部の引き出し方向において、収納位置に配置された収納部と扉部との間に位置するように配置されている。
【００３０】
この第１１の開示では、孔部および溝部が、収納部の引き出し方向において、収納位置に配置された収納部と扉部との間に集められている。これにより、例えばワイヤを第１側壁と第２側壁との間において架け渡すように配線する場合であっても、溝部に収容されたワイヤを孔部に向かって配線することが容易となる。
【００３１】
第１２の開示は、第１０または第１１の開示において、第１側壁および第２側壁の各々には、収納部を開口部から筐体の外部に引き出すためのガイド部が設けられている。ワイヤは、第１側壁および第２側壁の各々の内壁面とガイド部の裏側との間に通されている。
【００３２】
この第１２の開示では、ワイヤが第１側壁および第２側壁の各々の内壁面とガイド部の裏側との間に通されているため、ワイヤの配線状態により収納部の引き出し動作が阻害されないようにすることができる。
【００３３】
第１３の開示は、第１２の開示において、孔部は、複数設けられかつ第１側壁および第２側壁の少なくとも一方において上下方向に互いに間隔をあけて配置されている。ガイド部は、第１側壁および第２側壁の少なくとも一方において孔部同士の間に配置されている。
【００３４】
この第１３の開示では、ワイヤを、収納部の引き出し動作に影響しないように、ガイド部の上方および下方に位置する孔部のいずれかを通って筐体の外部に出すことができる。
【００３５】
第１４の開示は、第１０〜第１３のいずれか１つの開示において、第１側壁および第２側壁は、それぞれ、水平方向であって、かつ引き出し方向に直交する方向において互いに対向するように配置されている。
【００３６】
この第１４の開示では、収納部を、扉部を開いたときに、開口部を通って筐体の外部に引き出しやすくすることができる。
【発明の効果】
【００３７】
以上説明したように、本開示によると、紙葉類処理装置を設置する環境またはその状態によらず、配線の作業効率を向上させることができる。
【図面の簡単な説明】
【００３８】
【図１】図１は、実施形態に係る紙葉類処理装置の全体を示す全体斜視図である。
【図２】図２は、カバー、扉部、およびキャップを外した状態において、実施形態に係る紙葉類処理装置を正面右側から見て示す斜視図である。
【図３】図３は、カバー、扉部、およびキャップを外した状態において、実施形態に係る紙葉類処理装置を正面左側から見て示す斜視図である。
【図４】図４は、収納部の収納位置と扉部との間における筐体の底部付近の縦断面状態を模式的に示した断面図である。
【図５】図５は、溝部および第２側壁の第２孔部を含む位置の横断面状態を模式的に示した断面図である。
【図６】図６は、制御装置と電源線および通信線の各々との機能構成を示すブロック図である。
【図７】図７は、制御装置の端子部とワイヤの第１端部との接続関係を模式的に示す模式図である。
【図８】図８は、実施形態に係る紙葉類処理装置の変形例１を示す図３相当図である。
【図９】図９は、実施形態に係る紙葉類処理装置の変形例２を示す図３相当図である。
【図１０】図１０は、実施形態に係る紙葉類処理装置の変形例２を示す図４相当図である。
【図１１】図１１は、実施形態に係る紙葉類処理装置の変形例３を示す図３相当図である。
【発明を実施するための形態】
【００３９】
以下、本開示の実施形態を図面に基づいて詳細に説明する。以下の実施形態の説明は、本質的に例示に過ぎず、本開示、その適用物或いはその用途を制限することを意図するものではない。
【００４０】
図１〜図３は、本開示の実施形態に係る紙葉類処理装置１の全体を示している。紙葉類処理装置１は、紙幣や有価媒体などの紙葉類を処理するためのものである。具体的に、紙葉類処理装置１は、例えば紙幣処理装置として適用される。紙幣処理装置は、例えば、銀行等の金融機関や小売店舗などに設置される。紙幣処理装置は、入金処理および出金処理を含む各種の処理を実行するように構成されている。
【００４１】
以下の説明において、上方（上側）および下方（下側）とは図１に示した紙葉類処理装置１の上下方向の位置関係を表し、前方（前側）および後方（後側）とは図１に示した紙葉類処理装置１の前後方向の位置関係を表し、右側および左側とは図１に示した紙葉類処理装置１の左右方向の位置関係を表すものとする。
【００４２】
（筐体）
図１〜図３に示すように、紙葉類処理装置１は、筐体２を備えている。筐体２は、内部に紙幣を保管するための金庫として機能する。なお、筐体２の上には、図示しない表示部及び紙葉類の投入口などが設けられている。筐体２は、例えば概略的には直方体の箱状に形成されている。具体的に、筐体２は、底部３と、天部４と、第１側壁５と、第２側壁６とを有している。
【００４３】
（底部および天部）
底部３および天部４は、上下方向において互いに対向するように配置されている。底部３および天部４の各々は、略板状に形成されている。天部４には、紙葉類処理装置１の上方に位置する図示しない処理部（処理部：図示しない表示部及び紙葉類の投入口などを含む）と後述する収納部１３との間において紙幣や有価媒体などの紙葉類が出入りするための出入り口４ａが形成されている。なお、紙葉類処理装置１が紙幣処理装置として適用される場合には、底部３および天部４の各々の厚みが例えば１２．５ｍｍとなるように形成されているのが好ましい。
【００４４】
（溝部）
図２〜図４に示すように、底部３は、筐体２内に面する内底面３ａを有している。図５にも示すように、内底面３ａには、溝部７が設けられている。溝部７は、左右方向において第１側壁５と第２側壁６との間に延びるように形成されている。溝部７は、たとえば直線状に形成されている。溝部７は、底部３の内底面３ａから下方に向かって窪むように形成されている。溝部７は、溝部７が延びる方向から見て、井戸型に形成されている。そして、溝部７は、後述する収納部１３の引き出し方向、すなわち図２〜図４に示した矢印Ｂの方向において、収納部１３が筐体２の内部に収納された収納位置Ａと扉部１２との間に配置されている。
【００４５】
（カバー）
図４および図５に示すように、溝部７には、カバー８が設けられてもよい。カバー８は、溝部７に収容された後述する電源線３４（ワイヤ３３）を上方から覆うように構成されている。この実施形態において、カバー８は、断面視において略板状に形成されている。カバー８は、前後方向よりも左右方向に長く延びるように形成されている。カバー８は、カバー８の上面が底部３の内底面３ａと面一となるように溝部７に取り付けられている。なお、カバー８の左右端部は、第１側壁５および第２側壁６の各々の内壁面と間隔をあけて配置されている（図５参照）。
【００４６】
（第１側壁および第２側壁）
図１〜図３に示すように、第１側壁５および第２側壁６は、それぞれ、水平方向であって、かつ後述する収納部１３を引き出す方向に直交する方向において互いに対向するように配置されている。すなわち、この実施形態において、第１側壁５および第２側壁６は、左右方向において互いに対向するように配置されている。
【００４７】
第１側壁５の下端部は、左右方向において底部３の左側端部に接続されている。第１側壁５の上端部は、左右方向において天部４の左側端部に接続されている。
【００４８】
第２側壁６の下端部は、左右方向において底部３の右側端部に接続されている。なお、第２側壁６の上端部は、左右方向において天部４の右側端部に接続されている。
【００４９】
第１側壁５および第２側壁６の各々は、略板状に形成されている。紙葉類処理装置１が紙幣処理装置として適用される場合には、第１側壁５および第２側壁６の各々の厚みが例えば１２．５ｍｍとなるように形成されているのが好ましい。
【００５０】
（扉部）
図２および図３に示すように、筐体２の前面側には、底部３、天部４、第１側壁５、および第２側壁６により囲われた開口部１１が設けられている。言い換えると、開口部１１は、底部３、天部４、第１側壁５、および第２側壁６により囲まれた枠の、筐体２の前面側端部である。また、図１および図４に示すように、筐体２の前面側には、開口部１１を閉鎖または開放するための扉部１２が設けられている。具体的に、扉部１２は、第２側壁６に取り付けられたヒンジ部１２ａにより開口部１１を閉鎖または開放するように構成されている。
【００５１】
（収納部）
図２〜図５に示すように、紙葉類処理装置１は、収納部１３を備えている。収納部１３は、紙幣などの紙葉類を収納するためのものである。収納部１３は、筐体２内に配置されている。そして、収納部１３は、扉部１２を開いたときに、開口部１１を介して筐体２の外部に引き出し可能に構成されている。具体的に、収納部１３は、矢印Ｂの方向に沿って筐体２の前方に引き出されるように構成されている。収納部１３の前面側には、収納部１３を引き出すための取手部１３ａが設けられている。
【００５２】
（ガイド部）
図２および図３に示すように、第１側壁５および第２側壁６の各々には、ガイド部１４が設けられている。ガイド部１４は、収納部１３を開口部１１から筐体２の外部に引き出すためのものである。各ガイド部１４は、筐体２内において前後方向に延びている。各ガイド部１４は、レール状に形成されている。各ガイド部１４は、その裏面が第１側壁５および第２側壁６の各々の内壁面と間隔をあけて配置されるように構成されている（図５参照）。言い換えると、第１側壁５側のレール１４は第１側壁５と離間しており、第２側壁６側のレール１４は第２側壁６と離間している。
【００５３】
図２に示すように、第１側壁５に設けられたガイド部１４は、上下方向に並んで配置される２つの第１孔部２１（後述）の間に配置されている。図３および図５に示すように、第２側壁６に設けられたガイド部１４は、上下方向において第２側壁６の下側に位置する第２孔部２２よりも下方に配置されている。
【００５４】
（孔部）
図１〜図３に示すように、第１側壁５および第２側壁６には、複数の孔部２０が設けられている。各孔部２０は、後述する各ワイヤ３３の第２端部を筐体２の内部から外部に出すように構成されている。この実施形態において、孔部２０は複数設けられている。詳細には、孔部２０は、複数（図示例では２つ）の第１孔部２１および複数（図示例では２つ）の第２孔部２２を含む。
【００５５】
図２〜図４に示すように、第１孔部２１は、第１側壁５に設けられている。各第１孔部２１は、筐体２の内部から外部に向かって第１側壁５を貫通している。各第１孔部２１は、円形状に形成されている。なお、各第１孔部２１の形状は、円形状に限られず、楕円形状、三角形状、四角形状などであってもよい。
【００５６】
各第１孔部２１は、上下方向において互いに間隔をあけて配置されている。第１孔部２１は、収納部１３の引き出し方向において、収納位置Ａに配置された収納部１３と扉部１２との間に位置するように配置されている。
【００５７】
図２および図３に示すように、第２孔部２２は、第２側壁６に設けられている。各第２孔部２２は、第１孔部２１と同様に、筐体２の内部から外部に向かって第２側壁６を貫通している（図５参照）。各第２孔部２２は、円形状に形成されている。なお、各第２孔部２２の形状は、円形状に限られず、楕円形状、三角形状、四角形状などであってもよい。
【００５８】
各第２孔部２２は、上下方向において互いに間隔をあけて配置されている。各第２孔部２２は、収納部１３の引き出し方向において、収納位置Ａに配置された収納部１３と扉部１２との間に位置するように配置されている。
【００５９】
（キャップ）
図１〜図３に示すように、紙葉類処理装置１は、キャップ２３を備えている。キャップ２３は、後述するワイヤ３３が通されていない各孔部２０を塞ぐためのものである。キャップ２３は複数設けてもよい。この実施形態において、キャップ２３は、第１側壁５の上側に位置する第１孔部２１に取り付けられている。また、キャップ２３は、第２側壁６の上側に位置する第２孔部２２にも取り付けられている。
【００６０】
（制御装置および制御基板）
図２に示すように、紙葉類処理装置１は、制御装置３０を備えている。具体的には、制御装置３０は、コンピュータである。制御装置３０は、筐体２内に配置されている。具体的に、制御装置３０は、筐体２内の上側に配置されている。また、制御装置３０は、左右方向において第１側壁５と収納部１３との間に配置されている。
【００６１】
図６に示すように、制御装置３０は、制御基板３１を有している。制御基板３１は、紙葉類処理装置１の動作を制御するためのものである。具体的に、制御基板３１は、主に収納部１３の動作を制御する制御プログラムが実装されている。
【００６２】
図７に示すように、制御装置３０は、後述する各ワイヤ３３を接続するための端子部３２ａ〜３２ｄを有している。端子部３２ａ〜３２ｄの各々は、制御基板３１と電気的に接続されている。端子部３２ａ〜３２ｄは、制御装置３０の前面側に配置されている。
【００６３】
端子部３２ａは、後述する電源線３４を接続するように構成されている。また、端子部３２ｂ〜３２ｄの各々は、後述する通信線３５を接続するように構成されている。具体的に、端子部３２ｂは、ＬＡＮ（Ｌｏｃａｌ  Ａｒｅａ  Ｎｅｔｗｏｒｋ）接続用の端子部である。端子部３２ｃは、ＵＳＢ（Ｕｎｉｖｅｒｓａｌ  Ｓｅｒｉａｌ  Ｂｕｓ）接続用の端子部である。端子部３２ｄは、外部機器としてのディスプレイ機器に接続するための端子部である。
【００６４】
（ワイヤ）
図２および図３に示すように、紙葉類処理装置１は、ワイヤ３３を備えている。ワイヤ３３は、１または複数設けることができる。各ワイヤ３３は、導電性を有している。各ワイヤ３３は、電流または信号を運ぶために用いられる。図６および図７に示すように、ワイヤ３３は、用途に応じたワイヤ（電源線３４、通信線３５）により構成されている。
【００６５】
電源線３４は、第１端部３４ａを有している。電源線３４は、第１端部３４ａが端子部３２ａを介して制御基板３１と電気的に接続されるように構成されている。
【００６６】
電源線３４は、第２端部３４ｂを有している。電源線３４は、第２端部３４ｂが紙葉類処理装置１の外側に配置された電源コンセント（図示せず）などと電気的に接続されるように構成されている。
【００６７】
図２に示すように、電源線３４は、第１側壁５の内壁面とガイド部１４の裏側との間に通されている。また、図３にも示すように、電源線３４は、溝部７に収容されるように配置されている。電源線３４は、溝部７に収容された状態で第１側壁５から第２側壁６に向かって左右方向に配線されている。さらに、図３および図５に示すように、電源線３４は、第２側壁６の内壁面とガイド部１４の裏側との間に通されている。そして、電源線３４の第２端部３４ｂは、第２側壁６において下側に位置する第２孔部２２を通って筐体２の外部に出されている。
【００６８】
次に、図６および図７に示すように、この実施形態では、ＬＡＮケーブルとしての通信線３５を例示している。なお、通信線３５としては、ＬＡＮケーブルに限られず、ＵＳＢケーブルとしての通信線、外部機器としてのディスプレイ機器に接続するための通信線であってもよい。
【００６９】
通信線３５は、第１端部３５ａを有している。通信線３５は、第１端部３５ａが制御装置３０の各端子部３２を介して制御基板３１と電気的に接続されるように構成されている。
【００７０】
通信線３５は、第２端部３５ｂを有している。通信線３５は、第２端部３５ｂが紙葉類処理装置１の外側に配置された外部機器（図示せず）と電気的に接続されるように構成されている。
【００７１】
図２に示すように、通信線３５は、第１側壁５の内壁面とガイド部１４の裏側との間に通されている。そして、通信線３５の第２端部３５ｂは、第１側壁５において下側に位置する第１孔部２１を通って筐体２の外部に出されている。すなわち、通信線３５の第２端部３５ｂは、電源線３４が通されていない第１孔部２１を通って筐体２の外部に出されている。
【００７２】
［実施形態の作用効果］
以上のように、紙葉類処理装置１では、制御基板３１に接続された各ワイヤ３３の第２端部を、第１側壁５および第２側壁６の少なくとも一方に設けられた孔部２０を通って筐体２の側面から外部に出すことが可能となっている。このため、例えば紙葉類処理装置１を筐体２の後面と建物における室内の壁面との隙間がほとんどない状態で設置する場合では、ワイヤ３３の第２端部を、孔部２０を通って筐体２の側面から外部に出すことが容易となる。また、例えば紙葉類処理装置１を机の下に設置する場合において、机の下に作業スペースがほとんどない状態であっても、ワイヤ３３の第２端部を筐体２の側面から外部に出すことにより配線作業が行いやすくなる。さらに、例えば紙葉類処理装置１を設置した後のメンテナンス時において、外部機器を増設するために追加のワイヤ３３を別途配線するような場合であっても、ワイヤ３３の第２端部を機外に出すための選択肢が少なくとも１つ以上存在するため、配線作業および外部機器の増設作業が行いやすくなる。したがって、紙葉類処理装置１では、紙葉類処理装置１を設置する環境またはその状態によらず、配線の作業効率を向上させることができる。
【００７３】
また、電源線３４の第２端部３４ｂおよび通信線３５の第２端部３５ｂの各々は、第１孔部２１および第２孔部２２のいずれかを通って筐体２の外部に出されている。このように、紙葉類処理装置１では、電源線３４の第２端部３４ｂおよび通信線３５の第２端部３５ｂの各々を機外に出すための選択肢が複数存在している。したがって、紙葉類処理装置１を設置する環境またはその状態によらず、配線の作業効率をより一層向上させることができる。
【００７４】
また、この実施形態において、電源線３４の第２端部３４ｂは、第２孔部２２を通って筐体２の外部に出されている。そして、通信線３５の第２端部３５ｂは、電源線３４が通されていない第１孔部２１を通って筐体２の外部に出されている。すなわち、電源線３４の第２端部３４ｂおよび通信線３５の第２端部３５ｂの各々は、分離された状態で第１孔部２１および第２孔部２２の各々から筐体２の外部に出されている。これにより、電源線３４および通信線３５を相互に離した状態で配線することが可能となる。その結果、電源線３４および通信線３５が電気的に相互に影響しにくくなり、ノイズによる通信エラーなどの発生を抑制することができる。
【００７５】
また、キャップ２３によりワイヤ３３が通されていない孔部２０を塞ぐことにより、筐体２内を密閉状態に近づけることが可能となる。これにより、筐体２内における紙葉類の保存状態を良好に保つことができる。また、キャップ２３によりワイヤ３３が通されていない孔部２０を塞ぐことにより、紙葉類処理装置１における外観の意匠性が損なわないようにすることもできる。
【００７６】
また、紙葉類処理装置１では、ワイヤ３３が溝部７に収容されるように配置されているため、ワイヤ３３を第１側壁５と第２側壁６との間において架け渡すように配線する場合であっても、ワイヤ３３を筐体２内に綺麗に収めることができる。
【００７７】
また、紙葉類処理装置１では、カバー８により、溝部７に収容されたワイヤ３３を保護することができる。
【００７８】
また、ワイヤ３３は、収納部１３の引き出し方向において、収納部１３が筐体２の内部に収納された収納位置Ａと扉部１２との間に配置された溝部７に収容されている。このため、ワイヤ３３を第１側壁５と第２側壁６との間において架け渡すように配線する場合であっても、収納部１３を、ワイヤ３３の有無によらず、開口部１１を通って筐体２の外部に引き出すことができる。
【００７９】
また、複数の孔部２０は、収納部１３の引き出し方向において、収納位置Ａに配置された収納部１３と扉部１２との間に位置するように配置されている。すなわち、複数の孔部２０および溝部７は、収納部１３の引き出し方向において、収納位置Ａに配置された収納部１３と扉部１２との間に集められている。これにより、この実施形態のように、電源線３４を第１側壁５と第２側壁６との間において架け渡すように配線する場合であっても、溝部７に収容された電源線３４を第２孔部２２に向かって配線することが容易となる。
【００８０】
また、各ワイヤ３３は、第１側壁５および第２側壁６の各々の内壁面とガイド部１４の裏側との間に通されている。このため、各ワイヤ３３の配線状態により収納部１３の引き出し動作が阻害されないようにすることができる。
【００８１】
また、第１側壁５に設けられたガイド部１４は、上下方向に並んで配置される２つの第１孔部２１の間に配置されている。これにより、各ワイヤ３３を、収納部１３の引き出し動作に影響しないように、ガイド部１４の上方に位置する第１孔部２１または下方に位置する第１孔部２１のいずれかを通って筐体２の外部に出すことができる。
【００８２】
また、第１側壁５および第２側壁６は、それぞれ、水平方向であって、かつ引き出し方向に直交する方向において互いに対向するように配置されている。これにより、紙葉類処理装置１では、収納部１３を、扉部１２を開いたときに、開口部１１を通って筐体２の外部に引き出しやすくすることができる。
【００８３】
［実施形態の変形例１］
上記実施形態では、電源線３４の第２端部３４ｂを、第２孔部２２を通って筐体２の外部に出した形態を示したが、この形態に限られない。
【００８４】
例えば、図８に示した変形例１のように、電源線３４の第２端部３４ｂを、第１側壁５において上側に位置する第１孔部２１を通って筐体２の外部に出すように構成してもよい。すなわち、通信線３５の第２端部は、電源線３４が通されていない第１孔部２１を通って筐体２の外部に出されている。
【００８５】
また、この変形例１では、電源線３４の第２端部３４ｂおよび通信線３５の第２端部３５ｂの各々は、２つの第１孔部２１のいずれかを通って筐体２の外部に出されている。すなわち、この変形例であっても、上記実施形態と同様に、電源線３４の第２端部３４ｂおよび通信線３５の第２端部３５ｂの各々を機外に出すための選択肢が複数存在している。そして、２つの第１孔部２１が第１側壁５の上下方向において互いに間隔をあけて配置されていることから、電源線３４の第２端部３４ｂおよび通信線３５の第２端部３５ｂの各々を、分離した状態で各第１孔部２１から筐体２の外部に出すことが可能となる。
【００８６】
したがって、変形例１のような構成であっても、上記実施形態と同様に、電源線３４および通信線３５が電気的に相互に影響しにくくなり、ノイズによる通信エラーなどの発生を抑制することができる。
【００８７】
［実施形態の変形例２］
上記実施形態では、通信線３５の第２端部３５ｂを、第１側壁５において下側に位置する第１孔部２１を通って筐体２の外部に出した形態を示したが、この形態に限られない。
【００８８】
例えば、図９および図１０に示した変形例２のように、通信線３５の第２端部３５ｂを、第２側壁６において上側に位置する第２孔部２２を通って筐体２の外部に出すように構成してもよい。すなわち、通信線３５の第２端部３５ｂは、電源線３４が通されていない第１孔部２１を通って筐体２の外部に出されている
【００８９】
また、この変形例２では、電源線３４の第２端部３４ｂおよび通信線３５の第２端部３５ｂの各々が、２つの第２孔部２２のいずれかを通って筐体２の外部に出るように構成されている。すなわち、この変形例であっても、上記実施形態と同様に、電源線３４の第２端部３４ｂおよび通信線３５の第２端部３５ｂの各々を機外に出すための選択肢が複数存在している。そして、２つの第２孔部２２は、第２側壁６の上下方向において互いに間隔をあけて配置されていることから、電源線３４の第２端部３４ｂおよび通信線３５の第２端部３５ｂの各々を、分離した状態で各第２孔部２２から筐体２の外部に出すことが可能となる。
【００９０】
さらに、変形例２では、上記実施形態で示したカバー８を、カバー８と一部形状が異なるカバー９に置き換えている。カバー９は、断面視で略Ｔ字状に形成されている。具体的に、カバー９は、板部９ａと、板部９ａの略中央から下方に突出した隔壁部９ｂと、を有している。このカバー９の隔壁部９ｂにより、電源線３４および通信線３５の各々を、溝部７内において分離した状態で溝部７に収容することが可能となる。
【００９１】
したがって、変形例２のような形態であっても、電源線３４および通信線３５が電気的に相互に影響しにくくなり、ノイズによる通信エラーなどの発生を抑制することができる。
【００９２】
［実施形態の変形例３］
また、上記実施形態では、通信線３５の第２端部３５ｂを、電源線３４が通されていない第１孔部２１を通って筐体２の外部に出した形態を示したが、この形態に限られない。すなわち、通信線３５の第２端部３５ｂを、電源線３４が通されている第１孔部２１および第２孔部２２のいずれかを通って筐体２の外部に出すように構成してもよい。
【００９３】
例えば、図１１に示した変形例３のように、電源線３４の第２端部３４ｂおよび通信線３５の第２端部３５ｂの各々を、第１側壁５において下側に位置する第１孔部２１を通って筐体２の外部に出すように構成してもよい。かかる構成によれば、制御基板３１に接続された電源線３４および通信線３５の各々を、一つにまとめた状態で第１孔部２１を通って筐体２の外部に出すことが可能となる。これにより、電源線３４および通信線３５の配線作業を簡素化することができる。
【００９４】
［その他の実施形態］
上記実施形態では、第２側壁６に設けられたガイド部１４を、上下方向において第２側壁６の下側に位置する第２孔部２２よりも下方に配置したが、この形態に限られない。すなわち、第２側壁６に設けられたガイド部１４を、第２側壁６において上下方向に並んで配置される２つの第２孔部２２の間に配置してもよい。これにより、ワイヤ３３を、収納部１３の引き出し動作に影響しないように、ガイド部１４の上方に位置する第２孔部２２および下方に位置する第２孔部２２のいずれかを通って筐体２の外部に出すことができる。
【００９５】
また、上記実施形態では、１本の通信線３５を設けた形態を示したが、この形態に限られない。すなわち、複数の通信線３５を設けた形態としてもよい。
【００９６】
以上、本開示についての実施形態を説明したが、本開示は上述の実施形態のみに限定されず、本開示の範囲内で種々の変更が可能である。
【産業上の利用可能性】
【００９７】
本開示は、紙幣や有価媒体などの紙葉類を処理するための紙葉類処理装置として産業上の利用が可能である。
【符号の説明】
【００９８】
１：紙葉類処理装置
２：筐体
３：底部
３ａ：内底面
５：第１側壁
６：第２側壁
７：溝部
８，９：カバー
１１：開口部
１２：扉部
１３：収納部
１４：ガイド部
２０：孔部
２１：第１孔部
２２：第２孔部
２３：キャップ
３０：制御装置
３１：制御基板
３２ａ〜３２ｄ：端子部
３３：ワイヤ
３４：電源線
３５：通信線
Ａ：収納位置
【図１】
2020052640.tif 000003
【図２】
2020052640.tif 000004
【図３】
2020052640.tif 000005
【図４】
2020052640.tif 000006
【図５】
2020052640.tif 000007
【図６】
2020052640.tif 000008
【図７】
2020052640.tif 000009
【図８】
2020052640.tif 000010
【図９】
2020052640.tif 000011
【図１０】
2020052640.tif 000012
【図１１】
2020052640.tif 000013